(57)【特許請求の範囲】
【請求項１】
歯間領域を洗浄する口腔ケア器具であって、
流体ジェット流を生成する器具、
該器具に対するノズルアセンブリであり、該ノズルアセンブリからの開口部に前記流体ジェット流を方向づけるノズルアセンブリ、及び、
前記ノズルアセンブリ内で支持部材によって支持される、前記ノズルアセンブリ内のハイドロフォイルの翼を含む液体流インタラプタアセンブリであり、前記翼は、前記翼の対向する側面から、前記ノズルアセンブリ内の対向するチャネルまで延びるばねによって支持される、液体流インタラプタアセンブリ、
を含み、
前記液体流インタラプタアセンブリは、前記ノズルアセンブリを通る流体流によって最初の位置からそらされて、その流れを一時的に妨害し、次に、前記流れが減少するに従い前記最初の位置まで戻り、前記流体流内に周期性の撹乱を導入し、前記ノズルアセンブリの出口開口部から一連の流体パルスを生成する、器具。
【請求項２】
前記ハイドロフォイルの翼は、最初の位置から前記流体流の方向において動き、次に、前記流体流が減り、次に妨害されるに従い、反対の方向において戻るように構成され且つ支持される、請求項１に記載の器具。
【請求項３】
前記ハイドロフォイルの翼は、前記流れが変化するに従い、前記翼を過ぎる前記流体流に対して約９０°の前記ばねの軸に沿って前記ノズルアセンブリ内で前後に動くように構成され且つ対向する前記ばねによって支持される、請求項１に記載の器具。
【請求項４】
前記翼は、前記ばねを中心として、又は、前記ばねに対して９０°の軸を中心として回転して振動するように構成され且つ対向する前記ばねによって支持される、請求項１に記載の器具。
【発明の詳細な説明】
【技術分野】
【０００１】
本発明は、一般に、歯間洗浄に使用される口腔ケア器具に関し、特に、その器具からの出力される流体ジェットを妨害することによって流体パルスを生成することに関係する。
【背景技術】
【０００２】
歯肉（歯ぐき）の健康及び歯周病の予防は、歯間領域からの歯垢除去に関係なく重要であるけれども、歯間歯石の除去は、歯肉の健康のメンテナンス、歯周病の予防及び齲歯の減少のために重要である。
【０００３】
従って、種々の試みが、歯間洗浄及び歯肉ケアをより効果的にすることに関連して行われてきた。そのような試みは、流体ジェット及び流体液滴の器具を含む。流体ジェットは、歯間領域内の侵入深さ、歯石除去の効率及び歯ぐき領域の治療に対して効果的な技術であると証明されてきた。スラグ（ｓｌｕｇ）として知られることもある一連の液体パルスを形成するウォータージェットの脈動が、より大きく且つ局在化された衝撃応力を用いて効果的であり、それは、連続的なパルス／スラグのハンマリング効果；洗浄されている表面にわたる個々のパルス／スラグのより大きな速度；水の量に対する衝撃が与えられる領域の改善された比；歯質（ｓｕｂｓｔｒａｔｅ）からバイオフィルムを剥離するプロセスを高める荷重サイクル；及び、エネルギー損失を最小にする傾向がある短期間の荷重；のためであると示されてきた。
【０００４】
種々の機械的アプローチが、ウォータージェットを効果的に妨害して液体スラグを生成するのに使用されてきた。これらは、溝、穴又はスプロケットを含有する回転ディスク、遠心ローター、圧電駆動装置、急速弁駆動及び爆発的な沸騰を含む。これらの技術のうちそれぞれが、ウォータージェットから一連の液体パルス／スラグを実際に生成するけれども、これらは、複雑さ、費用及び短い寿命という欠点を有する。
【先行技術文献】
【特許文献】
【０００５】
【特許文献１】米国特許第４，１４１，３５２号
【発明の概要】
【発明が解決しようとする課題】
【０００６】
従って、種々の既知の機械的且つ類似の駆動システム／方法に付随したエネルギー損失及び短い寿命を回避する、継続的なジェットから液体脈動を生成するシステムが望ましい。
【課題を解決するための手段】
【０００７】
従って、歯間領域を洗浄する口腔ケア器具が、流体ジェット流を生成する器具；ノズルアセンブリであって、該ノズルアセンブリからの開口部に流体ジェット流を方向づけるノズルアセンブリ；及び、ノズルアセンブリ内で支持部材によって支持される液体流インタラプタアセンブリ；を含み、インタラプタアセンブリは、ノズルを通る流体流によって最初の位置からそらされて、その流れを一時的に妨害し、次に、流れが減少するに従い上記の最初の位置まで戻り、流体流内に周期性の撹乱を導入し、ノズルの出口開口部から一連の流体パルスを生成する。
【図面の簡単な説明】
【０００８】
【図１Ａ】歯間使用のための本発明の液体ジェット脈動アセンブリの一実施形態の断面図である。
【図１Ｂ】図１の脈動アセンブリの一部を示した上面図である。
【図２Ａ】脈動アセンブリの別の実施形態を示した断面図である。
【図２Ｂ】図２Ａのアセンブリの異形を示した断面図である。
【図２Ｃ】図２Ａの実施形態の異形を示した断面図である。
【図２Ｄ】図２Ａの実施形態の別の異形を示した断面図である。
【図３Ａ】翼の上の液体流に対する流れ圧力プロファイル及び渦の立面図である。
【図３Ｂ】翼の上の液体流に対する流れ圧力プロファイル及び渦の透視図である。
【図４】別の脈動アセンブリを示した概略断面図である。
【図５】別の脈動アセンブリの実施形態の断面図である。
【発明を実施するための形態】
【０００９】
本発明は、歯間の洗浄において有用な器具から送達される流体ジェット流を、典型的には流体ジェット出力の形で妨害して、機械的／電気的に駆動される脈動装置に対抗して乱流特徴の使用を介して液体パルス、バースト又はスラグと呼ばれる脈動出力を生成するシステムである。乱流は、典型的には、エネルギー損失のため回避されるけれども、乱流と非乱流との移行範囲で作動することによって、層流を有して分散させられる一過性の渦の離脱が発生する。より高い渦度によって、器具のノズルを出るに従い流体パルス／スラグが安定化される。
【００１０】
本発明の実施形態は、流体がノズルアセンブリを通って移動するに従い流体と接触する変形可能な要素を含む。作動中及び機能中、その要素が流れによってそらされるに従い、その断面は流れを撹乱させるように変わり、そらす力を減らす。そらす力が減るに従い、要素は、その最初の位置まで戻り、器具のノズルから周期性の脈動液体流をもたらす。
【００１１】
乱流は、レイノルズ数Ｒｅ＝（ｐｕ２）／（μｕ／Ｌ）（ｐ＝流体密度、ｕ＝平均流速、μ＝粘性係数及びＬ＝特性長）として既知の無次元数によって特徴づけることができる。１０，０００よりも大きいレイノルズ数の流体流は典型的には乱流であり、低いレイノルズ数の流れは典型的には層状のままである。液体流の妨害をもたらす本構成は、乱流と層流との境界層の変化次第である。層／乱流の移行はレイノルズ数によって同定されないけれども、移行は、物体のサイズが徐々に増えるか、若しくは、流体の粘性が減らされる場合に、又は、流体の密度が増える場合に発生する。
【００１２】
液体流インタラプタアセンブリの種々の実施形態が以下に示され且つ記載される。
【００１３】
本発明の一実施形態が、図１Ａ及び１Ｂにおいて示されている。図１Ａは、流体ジェットを使用する歯間洗浄器具のノズルアセンブリ１０を示している。流体ジェット器具の一例が、特許文献１において示されている。他の流体ジェット器具も使用することができる。ノズルアセンブリの基部が１１で示されており、さらに、出口開口部１２を含む。示されている実施形態において、出口開口部は、直径が約１．２ｍｍである。ノズルアセンブリは、プラスチック等の硬質材料から作製される。ノズル内で出口１２の前に画定されるのはチャンバ１４である。チャンバ１４は後方部分１６を含み、後方部分１６を通って、器具からの流体の流れが方向づけられる。示されている実施形態において、チャンバの内面は、先端領域に向かって徐々に狭くなるように、ポイント１７にて約１５°内側に曲がって進む。この斜めの部分は約６ｍｍの長さであり、さらに、１８で参照される。流れ部材２０は、チャンバ１４内で支持されている。
【００１４】
示されている実施形態において、支持は、図１Ｂにおいて示されている可撓性の部材２１である。示されている実施形態において、可撓性の部材２１は、１２５マイクロメートルの厚さであり、さらに、流れ部材２０とノズルの内面との間で延びる。可撓性の部材２１は、作動中、カンチレバーのように作用する。示されている実施形態において、可撓性の部材２１は、他の場所に置くこともできたけれども、内面が内側に曲がって進み始める１７にて置かれている。示されている実施形態において、流れ部材は約２ｍｍの長さであり、さらに、その前端にて先細りの部分２４を有して概して円筒形であり、先細り部分は、ノズルチャンバの一致する先細り部分１８と実質的に同じ角度を有する。流体圧力は、ノズルの入口にて約３０ｐｓｉである。
【００１５】
作動中、流れ部材がその最初の位置にある状態で、部材２０の周りのノズルチャンバ内に器具からの液体が流れるに従い、液体は可撓性の支持部材２１を押し、流れ部材２０を、ノズルが閉まって流れを妨害するようになるまで出口に向かって動かす。ノズルを通る流れが減らされ、次に、止められるに従い、可撓性の支持部材に対する力は、流れ部材に対する支持部材の構成により解放されるため、流れ部材は、チャンバ内のその最初の位置まで戻り、復活した流体の流れをノズルの出口から出す。これによって、ノズルの出口１２を出る妨害された脈動の流れ、すなわち脈動流が生成される。各パルス／スラグの周波数及び長さは、液体の流量、ノズルの出口と比較した流れ部材の断面積の比だけでなく、支持部材のばね定数及び流れ部材の質量によって決定される。チャンバの角度は、各パルスのいずれかの側での流速の増加／減少に影響を与え、パルスの形状をもたらす。
【００１６】
図２Ａ〜２Ｄは、脈動流体流を生成するための別の実施形態を４つの異形を用いて示している。いずれの場合にも、翼（ハイドロフォイル）が、ノズルチャンバ内でばねによって支持されている。示されている実施形態において、流れ部材は、翼の構成並びに支持ばねの構成及び配置に応じて、２つのタイプの並進運動及び２つのタイプの回転運動を有する。
【００１７】
図２Ａは、ノズルチャンバ３０、並びに、ばね３４及び３６によってノズルチャンバ内で支持されるハイドロフォイルの翼３２を例示している。図２Ａは、１つの軸において他の軸よりも実質的に堅いばねによる、チャンバを通る液体流の方向における前後の翼の並進運動を示している。図２Ｂは、ノズルチャンバを通る液体流に対して９０°であるばね３８及び４０の方向における経路に沿ったチャンバ３６内での翼３５の動きを示している。翼の構成は、翼を持ち上げ、次に、流れがまず減少し、次に妨害されるに従い解放するようなものである。図２Ｃは、ばね４４及び４６の方向に対して９０°の軸を中心としたチャンバ４３内での翼４２の回転を示しており、図２Ｄは、ばね４９及び５０の軸を中心としたチャンバ４８内での翼４７の回転を示している。回転は、ページの面において非対称的な表面を有した翼を構成し、ページ内に及びページから回転させることによってもたらされる。
【００１８】
ハイドロフォイルの翼が位置を変えるに従い、翼の「尾部」のフラッターが脈動及び渦の離脱をもたらす。この効果は、翼３７に関連して図３Ａ及び３Ｂにおいて示されている。圧力プロファイルは３９で参照されている。尾部が急に動くに従い渦が生じ、その渦は、最終的には離れることになる。離脱の間の流体に対する抗力の変化は、翼の後ろでの安定した渦の確立の間に、翼をその平衡位置まで戻す。
【００１９】
図２Ｂに関連して、液体が非対称的な翼を過ぎて流れるに従い、翼の前縁３７のわずかな運動（持ち上げ）をもたらす。前縁がチャンバ内で位置を変えるに従い、流れはチャンバのその領域を介して減り、揚力を減らす。ハイドロフォイルの翼のサイズは、並進運動であろうが回転運動であろうが、チャンバ内でのその運動の結果として液体流を妨害するのに、もし完全には妨害しなければ、ほぼ妨害するのに十分でなければならない。場合によっては、翼に対するダメージを防ぐために、きわどい妨害が望ましくあり得る。
【００２０】
図２Ａ〜２Ｄのいずれの場合にも、プロセスが次に周期的に繰り返され得るように、ばねは、翼にその最初の位置まで戻るのを強制する傾向がある。渦の離脱と翼の振動との組み合わせは、ノズルの出口からの流体の脈動を引き起こす。ばねの堅さ、液体の流量、振動するハイドロフォイルの翼の質量、及び、器具からの出口の部分に対するチャネルの断面の比が、実際の流れの間のパルス周波数に影響を与える。
【００２１】
図４は、要素５４によって（示されているように）水平方向に又は垂直方向に、流れに対して９０°にてチャンバ５３内で吊るされる複数の平らで可撓性なフラップ又はリボン５２を含む。図４は、ノズルチャンバの側方断面であるため、流体流はページ内にある。従来のブラインドと同様に、リボンは共に柔軟に接続されており、上部のリボン及び下部のリボンは、ゴム又はプラスチックカードによってチャンバの壁に接続されている。従って、リボンは自由に動く。複数のリボンを通る液体流は、要素が流体流の力の下で動くに従い、個々の要素／リボンの波状の動きをもたらし、ノズルから流れの脈動が結果として生じる。
【００２２】
さらに別の実施形態が、拡張可能なブラダー６０を含む図５において示されている。ブラダー６０は、器具からの流体入口６２とノズルの出口での流体出口６４との間で延びる可撓性のアセンブリである。拡張可能なブラダー６０は、典型的には硬質のプラスチック又は金属から作製される堅いリングによって接続された複数の伸縮可能な部分を含む。示されている実施形態において、ブラダーの構成は、ブラダーアセンブリの長手方向に沿って間隔をあけてリングを固定している。
【００２３】
隣接するリング間の個々の伸縮可能な部分は、ブラダーを通る液体圧力が増すか又は減るに従い自由に拡張し且つ収縮し、リングは、連続的な部分の拡張を制限する。機能上、液体流が６２にてブラダーに入るに従い、その流れは、外側にブラダーを拡張し始めて、第１のブラダー部分７０に第１のＯリング７２まで外側に拡張させる。これによって、矢印７４によって示されているように、流れに対する循環ゾーンが生じる。流れは、次のブラダー部分７６、リング７８まで続く。これは、前の部分７０内の圧力の減少をもたらし、その部分のブラダーの収縮を結果としてもたらす。このパターンは、それぞれ後の部分において繰り返され、それぞれの部分内で連続的な半乱流の循環をもたらし、さらに、出口６４にてハンマリング（脈動）液体をもたらす。間隔をあけられた堅いリングに対するブラダー部分の弾性だけでなく、弾性部分及び堅い（リング）部分の寸法比、流体の流量、リングの間隔、及び、個々の伸縮可能なブラダー部分の数も、出口からの結果として生じる液体パルスの周波数及び形状を調整する能力を提供する。液体パルスの振幅は、ブラダー部分の弾性によって大いに制御される。図５のブラダーの実施形態の結果は、非定常状態の流量条件において達成される最良のものである。
【００２４】
ブラダーアセンブリ内の結果として生じる乱流は、渦を開始し且つそれらの渦を離脱するが、絶え間なく続く渦を維持しない程度に十分でなければならず、それは、液体の流れからエネルギーを奪い、さらに、結果として生じる液体パルスの振幅を減らすだけでなく、作動のノイズも増やすためである。
【００２５】
従って、歯間腔を洗浄するための出力される脈動液体流を生成するためにノズル内に置くことができる種々の構造的構成が開示されてきた。脈動流体流は、増加した洗浄効果を有する。脈動流体の出力は、ノズルチャンバ内の流れ部材に作用する液体流自体によって成し遂げられ、さらに、別の駆動システムを要求することはない。
【００２６】
本発明の好ましい実施形態が、例示の目的で開示されてきたけれども、種々の変更、修正及び置換が、付随の特許請求の範囲によって定められる本発明の真意から逸脱することなくその実施形態に組み込まれてもよいということが理解されるべきである。
【図１Ａ】
0006517834.tif 000002
【図１Ｂ】
0006517834.tif 000003
【図２Ａ】
0006517834.tif 000004
【図２Ｂ】
0006517834.tif 000005
【図２Ｃ】
0006517834.tif 000006
【図２Ｄ】
0006517834.tif 000007
【図３Ａ】
0006517834.tif 000008
【図３Ｂ】
0006517834.tif 000009
【図４】
0006517834.tif 000010
【図５】
0006517834.tif 000011